(57)【要約】【課題】防水シートの劣化診断用の試料採取が的確に行え、切り取り個所からの亀裂の伝搬を抑止して漏水事故の発生を有効に防止できる防水シートの劣化診断方法を提供する。【解決手段】剛性の治具基板３１の少なくとも表面にシート接合層３２が設けられた平面環状の防水シート採取用治具３を予め準備しておく。構造物本体Ｍの被防水施工面Ｍａに防水シート１を敷設するにあたって、防水シート採取用治具３を被防水施工面Ｍａに固定する。防水シート劣化診断時には前記防水シート採取用治具３を目安にして既設防水シート１の一部を試料として切り取り、切り取り後の孔１１を修復用防水シート１０で閉塞するとともに、該孔１１よりも外側の領域で修復用防水シート１０の周辺部を既設の防水シート１に接合する。【選択図】      図５
2006002524.tif 000002
【特許請求の範囲】
【請求項１】
構造物本体の被防水施工面上に防水シートがシート固定板によって部分的に固定された状態で敷設される防水シートの敷設構造に適用されて、所定期間経過後に前記既設の防水シートの劣化を診断する防水シートの劣化診断方法において、
剛性の治具基板の少なくとも表面にシート接合層が設けられた平面環状の防水シート採取用治具を予め準備しておき、
前記防水シートを敷設するにあたって、前記防水シート採取用治具を前記被防水施工面に固定するとともに、その治具と前記防水シートとを接合し、
防水シート劣化診断時には、防水シートにおける前記防水シート採取用治具の環状開口部に対応する部位を切り取って防水シート劣化診断用試料を採取し、
ついで、前記防水シートを切り取った後の孔を修復用防水シートで閉塞するとともに、該孔よりも外側の領域で修復用防水シートの周辺を既設の防水シートに接合することを特徴とする防水シートの劣化診断方法。
【請求項２】
構造物本体における被防水施工面とこの被防水施工面に敷設された防水シートとの間に介在されて、防水シートの劣化診断用試料を採取するために該防水シートの一部を切り取る際の切り取り目安として使用される防水シート採取用治具であって、
剛性の治具基板の少なくとも表面が樹脂層で被覆され、かつ中央に開口部を有する平面環状の樹脂積層板をもって構成されてなることを特徴とする防水シート採取用治具。
【請求項３】
前記開口部の開口面積が２５ｃｍ２  以上に設定されてなる請求項２記載の防水シート採取用治具。
【請求項４】
構造物本体の被防水施工面上に防水シートがシート固定板によって部分的に固定された状態で敷設される防水シートの敷設構造において、
前記構造物本体における被防水施工面に、防水シートの一部を切り取って劣化診断用試料を採取する際の切り取り目安として使用される環状の防水シート採取用治具を固定するとともに、この防水シート採取用治具の外周部と前記防水シートとを接合したことを特徴とする防水シートの敷設構造。
【請求項５】
前記防水シート採取用治具と前記構造物本体における被防水施工面との間に水密部材が介在されている請求項４に記載の防水シートの敷設構造。
【請求項６】
前記シート固定板は、被防水施工面に複数配列して固定されるとともに、各シート固定板の表面に前記防水シートの対応部分がそれぞれ接合される一方、
前記シート固定板の固定箇所のいずれかに、シート固定板に代えて前記防水シート採取用治具が固定されてなる請求項４又は５に記載の防水シートの敷設構造。
【請求項７】
前記防水シートは、第１及び第２防水シートを具備し、
前記第１防水シートの縁部が前記シート固定板によって前記被防水施工面に固定されるとともに、前記第２防水シートの縁部が前記第１防水シートの縁部に重ね合わされて接合されてなる請求項４又は５に記載の防水シートの敷設構造。
【請求項８】
前記シート固定板は、前記第１防水シートの縁部に沿って間隔をおいて複数固定される一方、
前記シート固定板の固定箇所のいずれかに、シート固定板に代えて前記防水シート採取用治具が固定されてなる請求項７に記載の防水シートの敷設構造。
【発明の詳細な説明】
【技術分野】
【０００１】
この発明は、ビルディング屋上などの構造物本体の被防水施工面に敷設される防水シートの劣化を診断するための防水シートの劣化診断方法およびこの診断方法に使用される防水シート採取用治具ならびに防水シートの敷設構造に関する。
【背景技術】
【０００２】
ビルディング屋上などの構造物の被防水面に対する防水施工方法としては、剛性基板の表裏両面が樹脂層で覆われている複数のシート接合板を構造物の被防水施工面の全域に均等的に配列して固定し、このシート接合板の上から合成樹脂製の防水シートを敷設するとともに、シート接合板における樹脂層と防水シートとを溶剤や熱風などを利用して溶融させて防水シートとシート接合板とを接合一体化する絶縁工法が周知となっている（例えば、特許文献１，２参照）。
【０００３】
その防水シートは経年劣化するため、施工から所定期間が経過すれば、防水シートの一部を切り取って防水シート劣化診断用試料を採取し、この試料を検査することにより劣化度を判定し、防水シートの張り替え時期を診断する場合がある。
【０００４】
防水シートの劣化を診断する方法として、硬度測定や接触角測定、あるいは画像解析によるものなどが提案されているが、実際に劣化した防水シートを切り取って検査する方が精度の高い診断結果を得ることができる。
【０００５】
検査作業者は、上記防水シートを切り取ることにより診断用試料を採取した後、前記防水シートの切り取った後の孔を修復用の防水シートで覆うとともに、その切り取った後の孔の周辺部を既設の防水シートに水密に接合する後処理を行っている。
【特許文献１】特開２０００−１７９１０３号公報（第４頁、図５）
【特許文献２】特開２００３−２５３８２２号公報（第４頁、図１）
【発明の開示】
【発明が解決しようとする課題】
【０００６】
ところで、前記既設の防水シートは、劣化しているうえ、敷設状態のテンションが付勢されていることもあって前記切り取りによる孔の内周面に窪み（ノッチ）が形成され、そこから亀裂が起きやすい状態である。このため、修復用の防水シートを接合した後でも、前記窪みを起点として、防水シートの表面もしくは裏面から亀裂が外方へ伝搬することがある。その亀裂が修復シートの外端を越える域まで達すると、亀裂による漏水経路が形成されて、水密性が損なわれてしまうおそれがある。
【０００７】
このため、検査作業者は、前記窪みから亀裂が広がらないように、慎重に修復作業を行わなければならない。しかし、通常、検査作業者は、防水施工業者のような補修作業に熟練した者とは限らないので、細心の注意を払って前記修復作業を行っても、前記亀裂を発生させてしまうことがある。
【０００８】
また、前記検査作業者は、前記試料を採取するために防水シートの切り取り個所の指示を受けているものの、実際には、切り取り個所が現場施工面に明示されていないことから、現場で防水シートの何処を切り取ったらいいのかが分からないことが多い。適切な個所を切り取ることができないと、信頼性の高い劣化診断が下せないことになる。
【０００９】
この発明は、上記実情に鑑みてなされたものであり、防水シートの劣化診断用の試料採取が的確に行え、切り取り個所からの亀裂の伝搬を抑止して漏水事故の発生を有効に防止できる防水シートの劣化診断方法およびこの診断方法に採用される防水シート採取用治具ならびに防水シートの敷設構造を提供することを課題とする。
【課題を解決するための手段】
【００１０】
上記課題を解決するために、本発明は、以下の構成を採用するものである。
【００１１】
［１］  構造物本体の被防水施工面上に防水シートがシート固定板によって部分的に固定された状態で敷設される防水シートの敷設構造に適用されて、所定期間経過後に前記既設の防水シートの劣化を診断する防水シートの劣化診断方法において、剛性の治具基板の少なくとも表面にシート接合層が設けられた平面環状の防水シート採取用治具を予め準備しておき、前記防水シートを敷設するにあたって、前記防水シート採取用治具を前記被防水施工面に固定するとともに、その治具と前記防水シートとを接合し、防水シート劣化診断時には、防水シートにおける前記防水シート採取用治具の環状開口部に対応する部位を切り取って防水シート劣化診断用試料を採取し、ついで、前記防水シートを切り取った後の孔を修復用防水シートで閉塞するとともに、該孔よりも外側の領域で修復用防水シートの周辺を既設の防水シートに接合することを特徴とする防水シートの劣化診断方法。
【００１２】
なお本発明は、以下の構成を採用することができる。
【００１３】
［１ａ］  前記修復用防水シートを、前記切取孔の上面側に配置して、修復用防水シートの周縁部を、防水シートの上面側における孔周辺部に接合するものとした前項１に記載の防水シートの劣化診断方法。
【００１４】
［１ｂ］  前記修復用防水シートを、前記切取孔の下面側に配置して、修復用防水シートの周縁部を、防水シートの下面側における孔周辺部に接合するものとした前項１に記載の防水シートの劣化診断方法。
【００１５】
［２］  構造物本体における被防水施工面とこの被防水施工面に敷設された防水シートとの間に介在されて、防水シートの劣化診断用試料を採取するために該防水シートの一部を切り取る際の切り取り目安として使用される防水シート採取用治具であって、剛性の治具基板の少なくとも表面が樹脂層で被覆され、かつ中央に開口部を有する平面環状の樹脂積層板をもって構成されてなることを特徴とする防水シート採取用治具。
【００１６】
［３］  前記開口部の開口面積が２５ｃｍ２  以上に設定されてなる前項２に記載の防水シート採取用治具。
【００１７】
［４］  構造物本体の被防水施工面上に防水シートがシート固定板によって部分的に固定された状態で敷設される防水シートの敷設構造において、前記構造物本体における被防水施工面に、防水シートの一部を切り取って劣化診断用試料を採取する際の切り取り目安として使用される環状の防水シート採取用治具を固定するとともに、この防水シート採取用治具の外周部と前記防水シートとを接合したことを特徴とする防水シートの敷設構造。
【００１８】
［５］  前記防水シート採取用治具と前記構造物本体における被防水施工面との間に水密部材が介在されている前項４に記載の防水シートの敷設構造。
【００１９】
［６］  前記シート固定板は、被防水施工面に複数配列して固定されるとともに、各シート固定板の表面に前記防水シートの対応部分がそれぞれ接合される一方、前記シート固定板の固定箇所のいずれかに、シート固定板に代えて前記防水シート採取用治具が固定されてなる前項４又は５に記載の防水シートの敷設構造。
【００２０】
［７］  前記防水シートは、第１及び第２防水シートを具備し、前記第１防水シートの縁部が前記シート固定板によって前記被防水施工面に固定されるとともに、前記第２防水シートの縁部が前記第１防水シートの縁部に重ね合わされて接合されてなる前項４又は５に記載の防水シートの敷設構造。
【００２１】
［８］  前記シート固定板は、前記第１防水シートの縁部に沿って間隔をおいて複数固定される一方、前記シート固定板の固定箇所のいずれかに、シート固定板に代えて前記防水シート採取用治具が固定されてなる前項４又は５に記載の防水シートの敷設構造。
【００２２】
なお本発明においては、以下の構成を採用することができる。
【００２３】
［８ａ］  前記第１防水シートの縁部が、前記シート固定板によって上側から押さえ付けられることによって固定されてなる前項７又は８に記載の防水シートの敷設構造。
【００２４】
［８ｂ］  前記シート固定板の上面と防水シートとが非接合状態（非接着状態、非溶着状態、非融着状態等）に構成されてなる前項７、８又は８ａに記載の防水シートの敷設構造。
【発明の効果】
【００２５】
発明［１］の防水シートの劣化診断方法によれば、防水施工作業時に、構造物本体における被防水施工面に防水シート採取用治具を固定しておく構成であるから、この防水シート採取用治具の設置した位置を設計事項として決めておくことにより、防水シートの劣化診断を行う際に防水シート採取用治具の位置から既設防水シートの劣化診断試料を得る位置を現場で容易に特定でき、検査作業者でも劣化診断試料を的確、かつ速やかに採取できる。
【００２６】
とくに、前記劣化診断試料を得るために、防水シート採取用治具を目安に該防水シートを切り取った際に、切り取り断面の窪みが形成され、その窪みから亀裂が広がろうとしても、前記防水シート採取用治具の開口部の外周部と既設防水シートとが接合されているので、該亀裂の伝搬がその接合部位で抑止され、亀裂を伝わって構造物本体における被防水施工面に至ろうとする漏水が確実防止される。
【００２７】
発明［１ａ］の方法によれば、修復用防水シートを切取孔の上側から配置して接合するものであるため、接合作業を容易に行うことができる。
【００２８】
発明［１ｂ］の方法によれば、修復用防水シートを、経年劣化の少ない防水シートの下面側における孔周辺部に接合するものであるため、修復用防水シートを安定状態に接合することができる。
【００２９】
発明［２］の防水シート採取用治具によれば、表面が樹脂層で被覆されているので、溶剤溶着、熱風溶着、接着剤溶着（接着）、誘電加熱手段、誘導加熱手段などにより、防水シート採取用治具の樹脂層と防水シートとを接着または溶融接着させれば、防水シート採取用治具の外周部に防水シートを簡単、かつ確実に接合することが可能となる。
【００３０】
発明［３］の防水シートの敷設構造によれば、診断に必要な試料を確実に得ることができる。
【００３１】
発明［４］の防水シートの敷設構造によれば、防水施工時にシート接合板と同様の手順で防水シート採取用治具を容易に固定でき、防水施工作業が順調に行える。
【００３２】
発明［５］の防水シートの敷設構造によれば、防水シート採取用治具と構造物本体の被防水施工面との間にパッキン部材等の水密部材を介在したので、既設防水シートと修復用防水シートとの界面に漏水が発生したとしても、それが前記被防水施工面側に至るのを前記水密部材で確実に防止できる。
【００３３】
発明［６］の防水シート敷設構造によれば、防水シート採取用治具を、シート接合板としても利用することができる。
【００３４】
発明［７］［８］の防水シート敷設構造によれば、防水シートをシート固定板に接合することなく、シート固定板によって押さえ付ける等の手段によって敷設することができる。
【発明を実施するための最良の形態】
【００３５】
図１および図２は、それぞれこの発明の第１実施形態にかかる防水シートの劣化診断方法が採用される防水シートの敷設構造を示す斜視図および断面図である。
【００３６】
図１および図２において、この防水シートの敷設構造は、ビルディング屋上のような構造物本体Ｍにおける被防水施工面Ｍａ敷設される防水シート１と、防水シート接合用の複数のシート接合板（シート固定板）２と、防水シート劣化診断用試料採取時に使用される防水シート採取用治具３とを備えている。なお、前記被防水施工面Ｍａには、断熱層、絶縁層、導電性層、第２防水層（防水シートよるものを含む）などの各種層が設けられることもあるが、ここでは、発明の要旨を明確にするため、そのような層を省略して説明する。
【００３７】
前記防水シート１は、例えば塩化ビニル樹脂をはじめとする熱可塑性の合成樹脂、ブチルゴム、エチレンプロピレンゴム（ＥＰＭ）、クロロスルホン化ポリエチレンなどのゴム、オレフィンなどの熱可塑性エラストマーを所定の大きさのシート状に成形したものであり、具体的には、塩化ビニル樹脂や、最近では、環境悪化の懸念が少ないポリエチレン樹脂、ポリプロピレン樹脂などのポリオレフィン系エラストマーなどからなるものが好適例として挙げることができる。なお、防水シート１としては、単独の合成樹脂からなる単独シートの他に、複数の合成樹脂が積層形成された複合シートや、中間に補強層が介在されたシートも使用可能である。
【００３８】
前記シート接合板２は、図３に示すように、鋼板などの金属製の基板２１の表裏両面に厚みが１００μｍ程度の合成樹脂層２２，２２が積層された樹脂被覆鋼板などで構成されている。
【００３９】
上記シート接合板２における樹脂層２２は、熱可塑性樹脂からなるものであれば、特に限定されるものではないが、接合対象としての防水シート１と同一性状の樹脂や、ホットメルト系接着剤を好適に用いることができる。例えば同一性状の樹脂、例えばポリ塩化ビニル樹脂、前記したポリエチレン樹脂、ポリプロピレン樹脂などのポリオレフィン系エラストマーなどを用いる場合、溶着接合の際に、樹脂同士の相溶性を一層向上させることができる。また溶着接合の際に、誘導加熱を用いる場合には、ホットメルト系接着剤が好んで使用される。
【００４０】
なお、このシート接合板２は、通常、直径が例えば６５〜８５ｍｍ程度のディスク形に成形されており、その中央部には、構造物本体Ｍにおける被防水施工面Ｍａに固定するためのねじ、開脚釘、カールプラグなどの固着部材４が挿通可能な孔２ａが形成されている。
【００４１】
前記防水シート採取用治具３は、前記防水シート１の任意個所に対応して、該防水シート１の施工時に前記構造物本体Ｍにおける被防水施工面Ｍａに固定されるものであり、例えば図４に示すように、治具基板３１とこの基板３１の表裏を覆う厚みが１００μｍ程度の樹脂層３２，３２とからなり、全体の厚み０．７ｍｍで、平面形状が、例えば５００ｍｍ×５００ｍｍ程度の正方形に成形されている。
【００４２】
この防水シート採取用治具３の中央の開口部３ａの大きさは、例えば４００ｍｍ×４００ｍｍ角である。この開口部３ａは、防水シート１の劣化診断用試料を採取するための切り取りサイズの目安となるものである。
【００４３】
また、この防水シート採取用治具３の外周部（枠部）３ｂには、構造物本体Ｍにおける被防水施工面Ｍａに固定するための固着部材５が挿入される挿入孔３０が複数個所、例えば８箇所に形成されている。
【００４４】
前記治具基板３１は、前記シート接合板２と同様に鋼板など金属材からなり、また、前記樹脂層３２は、ポリ塩化ビニル樹脂の他、ポリエチレン樹脂、ポリプロピレン樹脂などのポリオレフィン系エラストマーが選ばれる。
【００４５】
前記防水シート１を、ビルディングなどの構造物本体Ｍにおける被防水施工面Ｍａに敷設するには、まず、前記複数のシート接合板２を前記被防水施工面Ｍａの全域に均等的に配列した後、各シート接合板２をそれぞれねじもしくは開脚釘などの固着部材４を使用して前記被防水施工面Ｍａに固定する。
【００４６】
さらに、所定年数が経過した時点で行う防水シート劣化診断のために、構造物本体Ｍにおける被防水施工面Ｍａに対して前記防水シート採取用治具３を前記シート接合板２を避けた別の任意の部位に位置して配置する。前記と同様にこの防水シート採取用治具３の外周部３ｂをねじもしくは開脚釘などの固着部材５を使用して固定する。
【００４７】
この防水シート採取用治具３の設置作業は、防水シート１の敷設作業時に行うシート接合板２の固定作業とほぼ同様に行えるので、特に手間がかかることもない。
【００４８】
また、このシート採取用治具３の設置作業は、防水シート１の施工時の作業者が行うので、シート１と防水シート採取用治具３とが的確に接合される。
【００４９】
この後、前記シート接合板２および防水シート採取用治具３の上から防水シート１を敷設する。
【００５０】
この状態で防水シート１と前記シート接合板２ならびに防水シート１と防水シート採取用治具３の外周部３ｂとを、例えば溶剤溶着、熱風溶着、接着剤接着（溶着）、誘電加熱手段、誘導加熱融着手段によりそれぞれ接合する。
【００５１】
前記防水シート１と前記シート接合板２との接合においては、防水シート１における表面側のシート接合板対応部位に溶剤などの接着剤を塗布したり、熱風ガンにおけるノズルを挿入して熱風を吹き付けたり、誘電加熱融着装置を配置し誘電加熱を起こさせたり、あるいは誘導加熱融着装置を配置し誘導加熱を起こさせる。これにより、防水シート１とシート接合板２における樹脂層２２とが接着ないしは溶融されて一体化され、両者１，２が水密状に接合される。
【００５２】
前記防水シート１と防水シート採取用治具３との接合においても、同様に防水シート１における表面側の採取用治具３の周辺部対応位置に、溶剤などの接着剤を塗布したり、熱風ガンを挿入して熱風を吹き付けたり、誘電加熱融着装置を配置し誘電加熱を起こさせたり、あるいは誘導加熱融着装置を配置し誘導加熱を起こさせる。これにより、図５（Ａ）に示すように、防水シート１と防水シート採取用治具３における表面側樹脂層３２とが接着ないしは溶融されて一体化され、両者１，３が水密状に接合される。これにより、この防水シート採取用治具３は、前記シート接合板２と同様の接合機能が発揮される。
【００５３】
ここで本実施形態において、防水シート採取用治具３は、防水シート１を構造物Ｍに固定するためのシート接合板２としても利用することができるため、部材点数が増大することがなく、防水施工作業を効率良くスムーズに行うことができる。
【００５４】
つぎに、前記防水シート１の劣化診断について説明する。
【００５５】
防水シート１の施工から所定年数が経過した時点で、検査作業員が前記防水シート１の表面側において、図５（Ａ）に示す防水シート１から劣化診断用試料を採取するために、図５（Ｂ）に示すように、防水シート採取用治具３の孔３ａにほぼ対応する部位を切り取る。
【００５６】
試料の大きさは、診断に必要なサイズであり、前記開口部３ａの大きさに対応して、例えば２００ｍｍ×２００ｍｍの大きさであればよい。この試料は、所定の劣化検査に供される。
【００５７】
検査作業者は、防水シート１の劣化診断用試料を採取した後、図５（Ｃ）に示すように、その切り取り後の孔１１を修復用防水シート１０で覆う後処理を行う。
【００５８】
この修復用防水シート１０は、前記切り取り後の孔１１の面積よりも充分広い面積（例えば７００ｍｍ×７００ｍｍ程度）を有しておればよく、既設の防水シート１と同質のものが選ばれる。
【００５９】
この修復用防水シート１０を前記防水シート１の上から前記切り取り後の孔１１を覆い、この状態で修復用防水シート１０の周辺部と既設の防水シート１とを前記した溶剤溶着、熱風溶着、接着剤溶着（接着）、誘電加熱手段あるいは誘導加熱融着手段により接合する。
【００６０】
この防水シート１の劣化診断用試料を採取時において、検査作業者は、前記防水シート採取用治具３の位置の情報を元にして、既設の防水シート１からの試料の切り取り個所を現場で直ぐに把握することができる。
【００６１】
そして、前記防水シート採取用治具３を目安にして採取部位を間違いなく切り取ることができ、しかも、防水シート採取用治具３における開口部３ａの内縁部をガイドにして行えるので、速やかに適正サイズのものを得ることができる。
【００６２】
また、検査作業者の切り取り作業に起因して、例え採取時に前記切り取り孔１１の内周に窪みが形成されて、その窪みを起点にした亀裂が発生したとしても、前記防水シート採取用治具３の外周部３ｂと既設の防水シート１とが接合されているので、前記亀裂が該接合部位で食い止められ、それ以上に広がることがないので、漏水の発生のおそれを解消することができる。
【００６３】
前記防水シート採取用治具３の開口部３ａの面積は、劣化診断用試料が適量採取できる程の大きさであればよく、具体的には２５ｃｍ２  以上に設定するのが良い。特に作業性等を考慮すると、開口部３ａは２５０ｍｍ×２５０ｍｍの程度の矩形状のものが好まれる。
【００６４】
なお言うまでもなく、防水シート採取用治具３の平面形状は、この例のような正方形のものに限らず、多角形や円形のものなど任意の形状を選択可能である。
【００６５】
一方、本実施形態においては図６に示すように、修復用防水シート１０は、防水シート１の下側から切り取り後の孔１１を閉塞するように配置して、防水シート１の下面側（裏面側）における孔１１の周辺部に上記の溶融着手段を用いて接合するようにしても良い。つまり、防水シート１は、その下面側が上面側（表面側）に比べて経年劣化が少ないため、この劣化の少ないシート裏面側に、修復用防水シート１０を接合することにより、修復用防水シート１０を防水シート１に安定した状態に接合することができる。
【００６６】
また、前記防水シート採取用治具３を固定する際に、図７（Ａ）に示すように、防水シート採取用治具３の上面に防水シート１と同質の試料採取用防水シート６を接合して、これらを一体に構造物本体Ｍの被防水施工面Ｍａに固定する一方、防水シート１には、防水シート採取用治具３の開口部３ａに対応して採取孔１２を予め開けておくようにしてもよい。
【００６７】
そして、防水シート１の劣化診断用試料を採取時には、図７（Ｂ）に示すように、この試料採取用防水シート６の部位を切り取って劣化診断用試料とする。この劣化診断用試料採取後には、前記と同様に防水シート１における採取孔１２を図７（Ｃ）に示すように、前記修復用防水シート１０で覆えばよい。
【００６８】
この場合は、防水シート１に採取孔１２を予め開けてあるので、劣化診断用試料を採取する際に、防水シート１から適正範囲を簡単に切り取ることができる。
【００６９】
また図８に示すように、前記防水シート採取用治具３と構造物Ｍの被防水面Ｍａとの間には水密部材７を介在させてもよい。水密部材としては、ブチルテープのようなパッキン部材やシリコーンコーキング剤などのシーリング部材等を好適に採用することができる。ここで、パッキン部材とは、ブチルゴム、シリコーンゴム、エチレンプロピレンジエンゴム（ＥＰＤＭ）などのゴム弾性を有する充填剤をいい、上記ブチルテープの他、ＥＰＤＭ系発泡シート（商品名：エプトシーラー）などを好適に用いることができる。
【００７０】
その場合、例えば修復用防水シート１０と既設の防水シート１との界面から漏水が発生したとしても、その漏水を防水シート採取用治具３の開口部３ａ内に止めて前記構造物本体Ｍの被防水施工面Ｍａに漏水するのを水密部材７により確実に防止できる。
【００７１】
図９および図１０は、それぞれこの発明の第２実施形態にかかる防水シートの劣化診断方法が採用される防水シートの敷設構造を示す斜視図および断面図である。両図に示すように、構造物本体Ｍの被防水施工面Ｍａ上に第１防水シート１ａを敷設する。そしてこの第１防水シート１ａの縁部に沿って所定間隔おきに複数のシート固定板２０を配置しつつ、固着部材４を各固定板２０及び第１防水シート１ａに貫通して、構造物本体Ｍに固定する。。これによりシート固定板２０によって第１防水シート１ａの縁部が施工面Ｍａ上に押し付けられた状態に固定される。
【００７２】
なお本実施形態において、シート固定板２０は、後述するように上面に防水シートを接合するものではないため、表面や裏面に樹脂層が設けられないステンレス板等の金属単層板によっても構成することができる。
【００７３】
一方、被防水施工面Ｍａの所定位置に防水シート採取用治具３を配置して、固着部材５を介して、上記と同様に固定する。
【００７４】
続いて第２防水シート１ｂを、その縁部を第１防水シート１ａの縁部上に沿って重ね合わせつつ、防水シート採取用治具３及びシート固定板２０を覆うようにして、被防水施工面Ｍａ上に配置する。
【００７５】
その後、第２防水シート１ｂと防水シート採取用治具３とを、上記と同様な溶着処理によって溶着するとともに、図９の×印領域に示すように、重ね合わされた防水シート１ａ，１ｂの縁部同士を、溶剤溶着、熱風溶着、接着剤溶着（接着）、誘電加熱手段、誘導加熱融着手段などの溶着処理によって接合する。
【００７６】
なお本実施形態では、第２防水シート１ｂとシート固定板２０とは接合されていないが、第２防水シート１ｂとシート固定板２０とは必ずしも非接合状態とする必要はなく、接合するようにしても良い。
【００７７】
その他の構成は、上記第１実施形態と同様であるため、同一部分に同一符号を付して重複説明は省略する。
【００７８】
以上のように本実施形態においては、下側の（第１）防水シート１ａの縁部をシート固定板２０によって押さえ付けて位置固定し、その位置固定状態の第１防水シート１ａの縁部に、第２防水シート１ｂの縁部を溶着することができる。このため、シート縁部同士の溶着処理をスムーズに行うことができ、施工効率を向上させることができる。
【００７９】
また本実施形態では、防水シートをシート固定板２０を用いて機械的に建造物本体Ｍに固定するものであるため、防水シートが、シート接合板との接合固定が困難なオレフィン系樹脂等により構成される場合、好適に採用することができる。
【００８０】
なおこの第２実施形態においても、防水シート採取用治具３を、シート固定板２０として利用することができる。すなわち第１防水シート１ａの縁部に沿って配置される複数のシート固定板２０のいずれかの固定位置に、シート固定板２０に代えて防水シート採取用治具３を固定するものである。このとき言うまでもなく、防水シート採取用治具３と第２防水シート１ｂとは上記した溶着処理によって接合しておくものである。
【００８１】
また言うまでもなく、本実施形態においては、防水シート採取用治具３を第１防水シート１ａと建造物本体Ｍとの間に固定するようにしても良い。
【図面の簡単な説明】
【００８２】
【図１】この発明の第１実施形態にかかる防水シートの劣化診断方法が採用される防水シートの敷設構造を示す分解斜視図である。
【図２】第１実施形態の防水シートの敷設構造を示す断面図である。
【図３】第１実施形態の防水シートの敷設施工時に設置されるシート接合板を示す断面図である。
【図４】第１実施形態の防水シートの敷設施工時に設置されて、防水シートの劣化診断時に使用される防水シート採取用治具を示す断面図である。
【図５】第１実施形態の防水シート採取用治具周辺の構造を、劣化診断作業手順毎に示す断面図である。
【図６】防水シート採取用治具周辺の第１変形構造をに示す断面図である。
【図７】防水シート採取用治具周辺の第２変形構造を、劣化診断作業手順毎に示す断面図である。
【図８】防水シート採取用治具周辺の第３変形構造を示す断面図である。
【図９】この発明の第２実施形態にかかる防水シートの劣化診断方法が採用される防水シートの敷設構造を示す分解斜視図である。
【図１０】第２実施形態の防水シートの敷設構造を示す断面図である。
【符号の説明】
【００８３】
１、６、１ａ、１ｂ…防水シート
２…シート接合板（シート固定板）
２０…シート固定板
３…防水シート採取用治具
３ａ…防水シート採取用治具の開口部
７…パッキン部材
１０…修復用防水シート
１１…切り取り後の孔
２１…剛性基板
２２、３２…樹脂層（シート接合層）
３１…治具基板
Ｍ…構造物本体
Ｍａ…構造物本体の被防水施工面
【図１】
2006002524.tif 000003
【図２】
2006002524.tif 000004
【図３】
2006002524.tif 000005
【図４】
2006002524.tif 000006
【図５】
2006002524.tif 000007
【図６】
2006002524.tif 000008
【図７】
2006002524.tif 000009
【図８】
2006002524.tif 000010
【図９】
2006002524.tif 000011
【図１０】
2006002524.tif 000012